(57)【要約】【課題】シャッターカーテンなどの開閉部材と、この出入口となるまぐさ部やケース出入口部とが接触しないようにする。【解決手段】側面視直線状である第１のガイド部と、この第１のガイド部に対して側面視傾斜し、第１のガイド部と連続的な第２のガイド部とを少なくとも有する形状となるように構成された開閉体案内装置であって、第１のガイド部は開閉体に正面で対向しかつ案内手段の案内方向に略平行であって、第２のガイド部は第１のガイド部面より開閉体開放方向側に位置し、かつ開閉体に正面で対向するように、出入口部の近傍の空間内に案内手段から出入口部長手方向に位置をずらして設置される開閉体案内装置を設けることによって、開閉体をスムーズに案内することができる。【選択図】図４
2008106544.tif 000002
【特許請求の範囲】
【請求項１】
開閉体收納部の出入口部から案内手段に沿って繰り出されることによって開口部を仕切る開閉体の前記開口部面側を案内する開閉体案内装置であって、
側面視直線状である第１のガイド部と、前記第１のガイド部に対して側面視傾斜し、前記第１のガイド部と連続的な第２のガイド部とを少なくとも有する形状となるように構成され、
前記第１のガイド部は開閉体に正面で対向しかつ前記案内手段の案内方向に略平行であって、前記第２のガイド部は前記第１のガイド部面より開閉体開放方向側に位置し、かつ開閉体に正面で対向するように、前記出入口部の近傍の空間内に前記案内手段から前記出入口部長手方向に位置をずらして設置されたことを特徴とする開閉体案内装置。
【請求項２】
請求項１に記載された開閉体案内装置において、前記開閉体案内装置は、第１の部材と第２の部材により構成され、少なくとも前記第１のガイド部の表面の一部および／または前記第２のガイド部の表面の一部は、前記第１の部材により構成され、前記第１の部材は前記第２の部材よりも軟質であることを特徴とする開閉体案内装置。
【請求項３】
請求項１又は２に記載された開閉体案内装置において、前記第１のガイド部及び前記第２のガイド部は、側面視開閉方向に亘って、凹部を有しないことを特徴とする開閉体案内装置。
【請求項４】
開閉体收納部の出入口部から繰り出されることによって開口部を仕切る開閉体と、
前記開閉体の繰り出し動作を案内する案内手段と、
側面視直線状である第１のガイド部に対して側面視傾斜し、前記第１のガイド部と連続的な第２のガイド部とを少なくとも有する形状となるように構成され、前記第１のガイド部が開閉体に正面で対向しかつ前記案内手段の案内方向に略平行であって、前記第２のガイド部が前記第１のガイド面より開閉体開放方向側に位置し、かつ開閉体に正面で対向するように、前記出入口部の近傍の空間内に前記案内手段から前記出入口部長手方向に位置をずらして設置された開閉体案内手段と
を備えたことを特徴とする開閉体装置。
【請求項５】
請求項４に記載された開閉体装置において、前記開閉体案内手段は、第１の部材と第２の部材により構成され、少なくとも前記第１のガイド部の表面の一部および前記第２のガイド部の表面の一部は、前記第１の部材により構成され、前記第１の部材は前記第２の部材よりも軟質であることを特徴とする開閉体装置。
【請求項６】
請求項４又は５に記載された開閉体装置において、前記第１のガイド部及び前記第２のガイド部は、側面視開閉方向に亘って、凹部を有しないことを特徴とする開閉体装置。
【請求項７】
請求項４、５又は６に記載された開閉体装置において、前記開閉体案内手段を前記出入口部の長手方向に沿って複数個設けたことを特徴とする開閉体装置。
【発明の詳細な説明】
【技術分野】
【０００１】
本発明は、住宅、ビル、工場、倉庫、地下街などの建物や車両の荷台等を含む構造物躯体の開口部に設置されるシャッターカーテンなどの開閉部材の開閉を案内する開閉体案内装置及び開閉体装置に関する。
【背景技術】
【０００２】
ビル、工場、倉庫などの建物を含む構造物躯体の開口部に設置されるシャッターカーテンなどの開閉体からなる開閉体装置には、その開閉動作時に開閉部材を收納するケースの出入口部を通過してケース内に設けられている開閉部材の巻芯へ、また逆にケース内からケース外のガイドレールへ、開閉部材を円滑に案内するために、まぐさの上側であってケースの出入口部付近に例えば２段構成のローラからなる開閉体案内装置が設けられている場合が多い。このような開閉体案内装置としては、特許文献１に記載されているものが知られている。
【０００３】
従来の開閉体案内装置は、ガイドレールの上側であってケースの出入口部に設けられた２段ローラで構成される。この２段ローラは、多数の短冊状のスラットを連結してなるシャッターカーテンであるスラットカーテンの連結用カール部の間に入り込まないようにするために、２段ローラのそれぞれの軸間隔が隣接する連結用カール部のピッチと同等以上になるように設計されている。すなわち、案内装置すなわち２段ローラの回転部の寸法（直径等）がスラットカーテンのピッチと同等又はそれ以上の比較的大きなもので構成されている。
【０００４】
従って、従来は、開閉体案内装置（２段ローラ）をまぐさとケース出入口部との間に設けているので、その分の収容可能な空間が必要となり、開閉体装置全体のコンパクト化を困難としていた。また、開閉体案内装置の耐久性を確保するために、ローラを多段に設けてスラットカーテンをガイドしているが、どうしてもスラットカーテンのガイド面がスラットカーテンの開閉方向にでこぼこになっている関係上、開閉動作中に、スラットカーテンの不要な揺れと音なりが発生してしまうことがあった。そこで、このような開閉体案内装置を省略してコンパクト化を優先させた開閉体装置を開口部に設置することも多い。
【０００５】
図１は、従来の開閉体案内装置を省略してコンパクト化を優先させた場合の開閉体装置の開閉体收納部であるシャッターケース内部の構造の一例を示す図である。ケースのカバーはケース内部の構造を示すために図示を省略している。図２は、図１の開閉体装置のケース内部の構造を図１の矢印Ｘ方向から見た図である。この開閉体装置は、建物等の構造物躯体の開口部等に設けられるものであり、図１に示すように、シャッターケースの幅方向両端に設けられるブラケット１、開閉手段であるシャッターカーテン２、ガイドレール３、巻取シャフト５、モータなどを具備する開閉機６などから構成される。ブラケット１及びガイドレール３は、シャッターカーテン２の幅方向両側に設けられるものであるが図１では片側のみを示してある。巻取シャフト５は、他端のブラケットまで延びた長尺状のものであるが図１では途中で図示を省略してある。ここで幅方向とは、巻取シャフト５に沿った方向を示す。
【０００６】
ガイドレール３は、シャッターカーテン２の幅方向両端部を案内するように建物等の構造物躯体の開口部の幅方向両端側縁部に設けられ、内部まぐさ９１，外部まぐさ９２から床面まで掛け渡された断面形状が略コの字型の案内溝を有する部材で構成されている。シャッターカーテン２は、その幅方向端部をガイドレール３の案内溝に挿入され、このガイドレール３の案内溝に沿って上昇下降し、開口部の開閉動作を行う。シャッターカーテン２は他端のガイドレールまで延びた幅広状のものであるが、図１では図示を省略してある。また、図１、図２において、シャッターカーテン２の開閉方向（図１の上下方向）については一部を省略し、巻取シャフト５からシャッターケース外へ出るまでの一部分のみ図示している。内部まぐさ９１，外部まぐさ９２は他端のブラケットまで延びた長尺状のものであるが図１では途中で図示を省略してある。巻取りシャフト５は、ブラケット１に回動可能に、その幅方向両端を軸支されて設けられ、シャッターカーテン２を巻き取ったり巻き戻したりする。巻取シャフト５により巻き取られたり、巻き戻されたりしたシャッターカーテンは、内部まぐさ９１、外部まぐさ９２、ブラケット１によりスリット状に形成されたシャッターケースの出入口部を介してシャッターケース外からシャッターケース内へ收納され、また、シャッターケース内からシャッターケース外へ繰り出され、建物等の構造物躯体の開口部を開閉する。巻取りシャフト５と開閉機６の間には動力を伝達するチェーンが存在するが図示を省略してある。このチェーンは、開閉機６の駆動軸に設けられた主動スプロケットと巻取りシャフト５の回転軸に設けられた従動スプロケットとを連結し、開閉機６の回転駆動力をチェーンを介して巻取りシャフト５側に伝達し、開閉機６の駆動軸が回転すると、チェーンを介して巻取りシャフト５が開閉機６の駆動軸の回転に連動して回転する。これによって、シャッターカーテン２の開閉動作は制御されるようになっている。
【特許文献１】実開平２−４９４９８号公報
【発明の開示】
【発明が解決しようとする課題】
【０００７】
図１及び図２に示すように、開閉体案内装置が省略された場合、シャッターカーテン２は、その出入口部となる内部まぐさ部９１と外部まぐさ９２との間を通過してガイドレール３に導かれるようになっている。このとき、シャッターカーテン２の開口部面側が内まぐさ９１や外部まぐさ９２に極力接触しないように、巻取りシャフト５とガイドレール３を配置しているが、開口部の巻取りシャフト５に沿った方向の長さが長い場合、シャッターカーテン２の幅方向の中央付近が内部まぐさ部９１側にはらんでしまい、例えば図２に示すようにシャッターカーテン２の幅方向の中央付近が点線部２１に移動したような状態となり、シャッターカーテン２が内部まぐさ部９１に接触するおそれがあった。
【０００８】
また、特許文献１に記載のもののように、開閉体案内装置を設ける場合でも、開口部の巻取りシャフト５に沿った方向の長さが長いと、図１及び図２の場合と同様に、シャッターカーテン２の中央付近が内部まぐさ部９１側にはらんでしまい、シャッターカーテン２が内部まぐさ部９１に接触するおそれがあった。シャッターカーテン２と内部まぐさ部９１とが接触すると、シャッカーカーテンの動作中にシャッターカーテンの不要な接触による音なりが発生してしまうことがあり、また、シャッターカーテン２と内部まぐさ９１とが接触することによってシャッターカーテン２が傷ついたり、磨耗したり、塗装が剥がれたり等することがあった。
【０００９】
本発明は、上述の点に鑑みてなされたものであり、シャッターカーテンなどの開閉部材と、この出入口となるまぐさ部やケース出入口部とが極力接触しないように構成された開閉体案内装置及びこれを用いた開閉体装置を提供することを目的とする。
【課題を解決するための手段】
【００１０】
本発明に係る開閉体案内装置の第１の特徴は、開閉体收納部の出入口部から案内手段に沿って繰り出されることによって開口部を仕切る開閉体の前記開口部面側を案内する開閉体案内装置であって、側面視直線状である第１のガイド部と、前記第１のガイド部に対して側面視傾斜し、前記第１のガイド部と連続的な第２のガイド部とを少なくとも有する形状となるように構成され、前記第１のガイド部は開閉体に正面で対向しかつ前記案内手段の案内方向に略平行であって、前記第２のガイド部は前記第１のガイド部面より開閉体開放方向側に位置し、かつ開閉体に正面で対向するように、前記出入口部の近傍の空間内に前記案内手段から前記出入口部長手方向に位置をずらして設置されたことにある。
従来、開閉体案内装置は、２段ローラのそれぞれの軸間隔が隣接する連結用カール部のピッチと同等以上となるように構成されていたので、ローラ自体が比較的大きくなり、開閉体の出入口部の空間に配設することは困難であった。そこで、この発明のように、側面視直線状である第１のガイド部と、この第１のガイド部に対して側面視傾斜し、第１のガイド部と連続的な第２のガイド部とを少なくとも有する形状となるように構成された開閉体案内装置であって、第１のガイド部は開閉体に正面で対向しかつ案内手段の案内方向に略平行であって、第２のガイド部は第１のガイド部面より開閉体開放方向側に位置し、かつ開閉体に正面で対向するように、出入口部の近傍の空間内に案内手段から出入口部長手方向に位置をずらして設置される開閉体案内装置を設けることによって、開閉体をスムーズに案内することができる。すなわち、開閉体案内装置を案内手段の開閉体開き方向側端部の呑み口の形状とほぼ同様に開閉体閉じ方向側にかけて徐々にシャッターカーテンに近接してゆく形状とすることによって、従来の２段ローラの問題点となっていた傷付き、音なり、シャッターカーテンである開閉体の揺れを少なくすることができ、また開口部の大間口化に対しても設置が容易となり、開閉体案内装置として有効である。
【００１１】
本発明に係る開閉体案内装置の第２の特徴は、前記第１の特徴に記載の開閉体案内装置において、前記開閉体案内装置が、第１の部材と第２の部材により構成され、少なくとも前記第１のガイド部の表面の一部および／または前記第２のガイド部の表面の一部は、前記第１の部材により構成され、前記第１の部材は前記第２の部材よりも軟質であることにある。これは、開閉体案内装置を硬質の第２の部材（例えば、樹脂部材）と軟質の第２の部材（例えば、樹脂部材）との２重構成とし、硬質の第２の部材によって堅牢性を保持し、シャッターカーテンである開閉体との接触部に軟質の第１の部材を採用することによって、傷つけや音なりなどを有効に防止することが可能となる。
【００１２】
本発明に係る開閉体案内装置の第３の特徴は、前記第１又は第２の特徴に記載の開閉体案内装置において、前記第１のガイド部及び前記第２のガイド部は、側面視開閉方向に亘って、凹部を有しないことにある。シャッターカーテンである開閉体が開閉体案内装置に接触してもその表面には凹部を有しないので、接触音の発生は抑制され、接触傷なども発生しにくくなる。
【００１３】
本発明に係る開閉体装置の第１の特徴は、開閉体收納部の出入口部から繰り出されることによって開口部を仕切る開閉体と、前記開閉体の繰り出し動作を案内する案内手段と、側面視直線状である第１のガイド部に対して側面視傾斜し、前記第１のガイド部と連続的な第２のガイド部とを少なくとも有する形状となるように構成され、前記第１のガイド部が開閉体に正面で対向しかつ前記案内手段の案内方向に略平行であって、前記第２のガイド部が前記第１のガイド面より開閉体開放方向側に位置し、かつ開閉体に正面で対向するように、前記出入口部の近傍の空間内に前記案内手段から前記出入口部長手方向に位置をずらして設置された開閉体案内手段とを備えたことにある。これは、前記第１の特徴に記載された開閉体案内装置を使用した開閉体装置の発明に関するものである。
【００１４】
本発明に係る開閉体装置の第２の特徴は、前記第１の特徴に記載の開閉体装置において、前記開閉体案内手段が、第１の部材と第２の部材により構成され、少なくとも前記第１のガイド部の表面の一部および前記第２のガイド部の表面の一部は、前記第１の部材により構成され、前記第１の部材は前記第２の部材よりも軟質であることにある。これは、前記第２の特徴に記載され開閉体案内装置を使用した開閉体装置の発明に関するものである。
【００１５】
本発明に係る開閉体装置の第３の特徴は、前記第１又は第２の特徴に記載の開閉体装置において、前記第１のガイド部及び前記第２のガイド部は、側面視開閉方向に亘って、凹部を有しないことにある。これは、前記第３の特徴に記載され開閉体案内装置を使用した開閉体装置の発明に関するものである。
【００１６】
本発明に係る開閉体装置の第４の特徴は、前記第１、第２又は第３の特徴に記載の開閉体装置において、前記開閉体案内手段を前記出入口部の長手方向に沿って複数個設けたことにある。これは、開閉体案内装置を長尺状の出入口部に複数個設け、シャッターカーテンである開閉体の中央部前記出入口部付近がはらむのを有効に防止するようにしたものである。
【発明の効果】
【００１７】
本発明の開閉体案内装置及び開閉体装置によれば、シャッターカーテンなどの開閉体と、この出入口となるまぐさ部等のケース出入口部とが接触することを抑えることができるという効果がある。
【発明を実施するための最良の形態】
【００１８】
以下添付図面に従って本発明に係る開閉体案内装置及び開閉体装置の好ましい実施の形態について説明する。この実施の形態では開閉体装置として上下に開閉制御されるシャッター装置を例に説明する。
【００１９】
図３は、本発明に係る開閉体案内装置を備えた開閉体装置の概略構成を示す図であり、図１に対応したものである。図１と同様に、ケースカバーはケース内部の構造を示すために図示を省略している。図４は、図３の開閉体装置のケース内部の構造を図３の矢印Ｘ方向から見た図である。この開閉体装置は、建物等の構造物躯体の開口部等に設けられるものであり、図３に示すように、シャッターケースの両端に設けられるブラケット１、開閉体であるシャッターカーテン２、ガイドレール３、巻取シャフト５、モータなどを具備する開閉機６などから構成される。ブラケット１及びガイドレール３は、シャッターカーテン２の幅方向両側に設けられるものであるが図３では片側のみを示してある。巻取シャフト５は、他端のブラケットまで延びた長尺状のものであるが図３では途中で図示を省略してある。ここで幅方向とは巻取シャフト５に沿った方向を示す。
【００２０】
ガイドレール３は、シャッターカーテン２の幅方向両端部を案内するように建物等の構造物躯体の開口部の幅方向両端側の縁部に設けられ、内部まぐさ９１，外部まぐさ９２から床面まで掛け渡された断面形状が略コの字型の案内溝を有する部材で構成されている。シャッターカーテン２は、その幅方向端部をガイドレール３の案内溝に挿入され、このガイドレール３の案内溝に沿って上昇下降し、開口部の開閉動作を行う。シャッターカーテン２は他端のガイドレールまで延びた幅広状のものであるが、図３では途中で図示を省略してある。また、図３、図４において、シャッカーカーテン２の開閉方向（図の上下方向）については一部を省略し、巻取シャフト５からシャッターケース外へ出るまでの一部分のみ図示している。内部まぐさ９１，外部まぐさ９２は他端のブラケットまで延びた長尺状のものであるが図３では途中で図示を省略してある。巻取りシャフト５は、幅方向両端に設けられたブラケット１に回動可能にその両端を軸支されて設けられ、シャッターカーテン２を巻き取ったり巻き戻したりする。巻取シャフト５により巻き取られたり、巻き戻されたりしたシャッターカーテンは、内部まぐさ９１、外部まぐさ９２、ブラケット１によりスリット状に形成されたシャッターケースの出入口部を介してシャッターケース外からシャッターケース内へ收納され、また、シャッターケース内からシャッターケース外へ繰り出され、建物等の構造物躯体の開口部を開閉する。巻取りシャフト５と開閉機６の間には動力を伝達するチェーンが存在するが図示を省略してある。このチェーンは、開閉機６の駆動軸に設けられた主動スプロケットと巻取りシャフト５の回転軸に設けられた従動スプロケットとを連結し、開閉機６の回転駆動力をチェーンを介して巻取りシャフト５側に伝達し、開閉機６の駆動軸が回転すると、チェーンを介して巻取りシャフト５が開閉機６の駆動軸の回転に連動して回転する。これによって、シャッターカーテン２の開閉動作は制御されるようになっている。
【００２１】
開閉体案内装置３５は、シャッターカーテン２の出入口部となる内部まぐさ９１とシャッターカーテン２との対向する空間上であって、内まぐさ９１の外まぐさ９２側の側端部に設けられ、シャッターカーテン２の開口部面側がガイドレール３及び内部まぐさ９１に接触しにくくするように案内している。図５はこの開閉体案内装置の詳細構成を示す図であり、図５（Ａ）は、図４の開閉体案内装置３５を左側（開口部の正面側）から見た正面図であり、図５（Ｂ）は、図５（Ａ）の右側から見た側面図であり、図５（Ｃ）は、図５（Ａ）の上側から見た上面図である。図６はこの開閉体案内装置の詳細構成を示す斜視図である。図に示すように開閉体案内装置３５は、Ｌ字型のまぐさ固定用ステー３５１と、このまぐさ固定用ステー３５１の両端に溶接等の固着手段で固着された補助ステー３５２，３５３と、この補助ステー３５２，３５３間にボルトなどの固定具で固定された押し樹脂部材３５５とから構成される。
【００２２】
開閉体案内装置３５の押し樹脂部材３５５は、その大部分が硬質の樹脂（強度部材）３５６で構成されており、シャッターカーテン２と接触する部分となる押し樹脂部材３５５の表面部は、滑り性の高い軟質の樹脂３５７で構成されている。すなわち、押し樹脂部材３５５は、硬質の樹脂（強度部材）３５６と軟質の樹脂３５７との２重構成となっている。また、押し樹脂部材３５５の表面部（換言すると、シャッターカーテン２へ対向する表面の部分）の形状は、図５（Ｂ）に示すように、滑らかに屈曲した側面視略ヘの字状を有している。すなわち、押し樹脂部材３５５の表面部の形状は、側面視直線状である第１ガイド部３５ａと、この第１ガイド部３５ａに対して側面視傾斜し、第１ガイド部３５ａと連続的に形成された第２ガイド部３５ｂとを少なくとも有する形状となっている。第１ガイド部３５ａは、開閉体であるシャッターカーテン２に正面で対向しかつガイドレール３である案内手段の案内方向に略平行であって、  第２ガイド部３５ｂは第１ガイド部３５ａの面よりシャッターカーテン２の開放方向側に位置し、かつシャッターカーテン２に正面で対向するように、シャッターカーテン２の出入口部となる内まぐさ９１の外まぐさ９２側近傍の空間内に設置されている。また、押し樹脂部材３５５は、ガイドレール３から出入口部の長手方向に位置をずらして１又は複数設置されている。
【００２３】
押し樹脂部材３５５の表面部の形状（すなわち、第１ガイド部３５ａ及び第２ガイド部３５ｂによって形成される形状）は、ガイドレール３の上端部の呑み口３１１の形状（カーブ）のように、押し樹脂部材３５５の上端部（開閉体が開き移動する方向の端部）からやや下方側（開閉体が閉じ移動する方向側）にかけて徐々にシャッターカーテン２に近接していく形状となっており、シャッターカーテン２を巻取シャフト５からスムーズにガイドレール３へ導くことができる。また、押し樹脂部材３５５の表面部の形状は、側面視開閉方向に亘って、凹部を有しないようになっている。従って、シャッターカーテン２が押し樹脂部材３５５に接触しても接触音の発生は抑制され、押し樹脂部材３５５がシャッターカーテン２に接触した部分に接触傷などが発生しにくくなる。なお、硬質の樹脂３５６で構成される部分は、強度部材として硬質な材料で構成されていればよいので、金属、木、陶磁器等に置き換えることが可能である。また、軟質の樹脂３５７で構成される部分は、軟質な材料で構成されていればよいので、他の軟質性、弾性を有する材質に置き換えることが可能である。さらに、軟質の樹脂部材３５７で構成されている部分は、少なくとも第１ガイド部３５ａの表面の一部および／または第２ガイド部３５ｂの表面の一部であればよく、好ましくは、軟質の樹脂部材３５７で構成されている部分は、シャッターカーテン２が接触しやすい部分を含む。例えば、第１ガイド部３５ａの表面の全体および／または第２ガイド部３５ｂの表面の全体が軟質の樹脂部材３５７で構成されていてもよい。なお、押し樹脂部材３５５の第１ガイド部３５ａおよび第２ガイド部３５ｂを除く部分については表面が軟質の樹脂部材３５７で構成されていてもされていなくてもよい。軟質の樹脂部材３５７で構成されていない押し樹脂部材３５５の表面の部分は、硬質の樹脂部材３５６が露出していてもよいし、硬質の樹脂部材３５６や軟質の樹脂部材３５７以外の部材により構成されていてもよい。なお、本実施の形態においては、押し樹脂部材３５５の表面部の形状は、第１ガイド部３５ａに対して側面視傾斜し、第１ガイド部３５ａと連続的に形成された第３ガイド部３５ｃもさらに有する形状となっている。第３ガイド部３５ｃは第１ガイド部３５ａの面よりシャッターカーテン閉鎖方向側に位置し、かつシャッターカーテン２に正面で対向するように、シャッターカーテン２の出入口部となる内まぐさ９１の外まぐさ９２側近傍の空間内に設置されている。第１ガイド部３５ａ及び第３ガイド部３５ｃによって形成される形状は、押し樹脂部材３５５の下端部（開閉体が閉じ移動する方向の端部）からやや上方側（開閉体が開き移動する方向の端部）にかけて徐々にシャッターカーテン２に近接していく形状となっており、シャッターカーテン２をガイドレール３からスムーズに巻取りシャフト５へ導くことができる。
【００２４】
図４に示すように、シャッターカーテン２と開閉体案内装置３５とが接触することによって、シャッターカーテン２をガイドレール３のほぼ中央付近に案内することが可能となる。このことは、図２に示すように開閉体案内装置３５がない場合のものと比較することによって、容易に理解できる。
【００２５】
上述の実施の形態では、開閉体であるシャッターカーテンが下降しながら繰り出されて閉鎖するシャッター装置を例に説明したが、これ以外にも開閉体が横引き方式で繰り出されたり、上昇方式で繰り出されたり、あるいは水平方式や斜め方式で繰り出されたりするものであっても同様に適用することができる。開閉体装置としては、例えば、シャッター装置、ブラインド装置、ロールスクリーン装置、垂れ幕装置、防潮板装置などがある。開閉体装置をシャッター装置とした場合、開閉手段である開閉部材は、シャッターカーテンであり、その構成は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどによるものである。また、開閉体である開閉部材の材質は、使用目的に応じたものであれば、どのようなものでもよい。具体的には、金属製、木製、プラスチック製、布製、これらの複合されたものなどで構成することができる。
【００２６】
開閉体案内装置は、ガイドレールの近傍に２箇所設けてもよいし、単数又は複数をシャッターケースのシャッターカーテンが出入するの長尺状の出入口の中央側に設けてもよいし、ほぼ中央付近に設けてもよいし、これらを組み合わせて、複数の開閉体案内装置を長尺状の出入口に沿って設けるようにしてもよい。また、開閉体案内装置の幅方向の寸法は、幅方向における長尺状の出入口の寸法以内であれば限定されず、長尺状の出入口の幅方向全体に亘って単数の長尺状の開閉体案内装置を設けるようにしてもよい。また、開閉体案内装置は、内部まぐさ９１に設けたのと同様に外部まぐさ９２に開閉体へ押し樹脂部材の略への字状に屈曲した表面部を対向するように設けることも可能であり、内部まぐさ９１、外部まぐさ９２のいづれか片方または両方に設けることも可能である。また、開閉体案内装置は、例えば開閉体の開き方向が上方向である場合、その方向のガイドレールの真上に位置するようにしてもよいが、ガイドレール上端より高い位置または略同じ高さの長尺状の出入口の近傍でガイドレールとは幅方向にずらした位置に設けることが好ましい。本発明は、開閉体装置が開閉機を具備していなくても適用可能である。さらに、開閉体は、開放や閉鎖の動作に、例えば電動モーターやエンジンなどの動力装置の動力、人力、ばね力のいずれを用いるものでもよく、また自重や錘によって動作されるものであってもよい。
【図面の簡単な説明】
【００２７】
【図１】開閉体案内装置を省略してコンパクト化を優先させた場合の開閉体装置のケース内部の構造の一例を示す図である。
【図２】図１の開閉体装置のケース内部の構造を図１の矢印Ｘ方向から見た図である。
【図３】本発明に係る開閉体案内装置を備えた開閉体装置の概略構成を示す図であり、図１に対応してものである。
【図４】図３の開閉体装置のケース内部の構造を図３の矢印Ｘ方向から見た図である。
【図５】この開閉体案内装置の詳細構成を示す図である。
【図６】この開閉体案内装置の詳細構成を示す斜視図である。
【符号の説明】
【００２８】
１…ブラケット
２…シャッターカーテン
３…ガイドレール
５…巻取シャフト
６…開閉機
９１…内部まぐさ
９２…外部まぐさ
３５…開閉体案内装置
３１１…呑み口
３５１…まぐさ固定用ステー
３５２，３５３…補助ステー
３５５…押し樹脂部材
３５６…硬質の樹脂
３５７…軟質の樹脂
３５ａ…第１ガイド部
３５ｂ…第２ガイド部
【図１】
2008106544.tif 000003
【図２】
2008106544.tif 000004
【図３】
2008106544.tif 000005
【図４】
2008106544.tif 000006
【図５】
2008106544.tif 000007
【図６】
2008106544.tif 000008